(57)【要約】      （修正有）【課題】絡みの発生を抑制しうる工具落下防止用連結索具を提供する。【解決手段】フレキシブル伸縮ロープ体１０と、軟質被覆体２０と、二つの連結部３０，４０とを備えてなる工具落下防止用連結索具であって、軟質被覆体２０をフレキシブル伸縮ロープ体１０の外周に被覆し、軟質被覆体２０にフレキシブル伸縮ロープ体１０の伸びや縮みに伴って皺の幅が変化する折縁部２１を設け、二つの連結部３０，４０がフレキシブル伸縮ロープ体１０と軟質被覆体２０の両側に連結するよう構成する。【選択図】図１
0003156504.tif 000002
【実用新案登録請求の範囲】
【請求項１】
フレキシブル伸縮ロープ体と、軟質被覆体と、二つの連結部とを備えてなる工具落下防止用連結索具であって、
前記軟質被覆体は、前記フレキシブル伸縮ロープ体の外周に被覆され、
前記軟質被覆体は、前記フレキシブル伸縮ロープ体の伸びや縮みに伴って皺の幅が変化する折縁部を有し、
二つの前記連結部は、前記フレキシブル伸縮ロープ体と前記軟質被覆体の両側に連結してなることを特徴とする工具落下防止用連結索具。
【請求項２】
前記軟質被覆体は円筒状編物からなり、前記折縁部が前記フレキシブル伸縮ロープ体の伸びや縮みによって前記皺の幅が変化することを特徴とする請求項１に記載の工具落下防止用連結索具。
【請求項３】
前記フレキシブル伸縮ロープ体は、複数の単フレキシブル伸縮線体を束ねて形成されてなることを特徴とする請求項１に記載の工具落下防止用連結索具。
【請求項４】
前記連結部として使用者連結部と工具連結部とを備えてなることを特徴とする請求項１に記載の工具落下防止用連結索具。
【請求項５】
前記使用者連結部は、フック体形態であることを特徴とする請求項４に記載の工具落下防止用連結索具。
【請求項６】
前記工具連結部は、延伸バンド、第一穿設リング、第二穿設リング、オス側マジックバンド、及びメス側マジックバンドを備えてなり、
前記延伸バンド３１は、リンク結合側と、延伸側とを備えてなり、
前記リンク結合側は、前記第一穿設リングと前記二穿設リングが連結するためのラグバンドを有し、
前記オス側マジックバンドと前記メス側マジックバンドは、前記延伸バンドの片側にある前記リンク結合側近傍の二箇所に離間して配設されてなることを特徴とする請求項４に記載の工具落下防止用連結索具。
【考案の詳細な説明】
【技術分野】
【０００１】
本考案は、工具落下防止用連結索具に関する。
【背景技術】
【０００２】
例えば工事現場で従業員たちが工事を行う場合、工具（例えば、ネイルドライバー、タガネ、ドリルなど）を手に持って工事を行うことがある。その従業員は、平地で工事しているときは工具が不注意で手から落下しても、地面まで高くないから、大した問題は起こらない。しかしながら，高層ビルなどの高い足場に立って作業を行う高所作業においては、工具が落下すると物品に損傷を与える等、思い掛けない事故を起こす可能性がある。
【０００３】
これに対応するために、各種の工具落下防止用連結索具が提供されている（特許文献１，２参照）。工具落下防止用連結索具とは、手持ち式の工具と作業者を繋ぐものである。よって、高所作業において工具が手から落下しても、工具落下防止用連結索具により工具は地面まで落ちず、よって安全性を高めることができる。
【先行技術文献】
【特許文献】
【０００４】
【特許文献１】特開２００５−３３０７３０号公報
【特許文献２】特開２００８−２８４６３３号公報
【考案の概要】
【考案が解決しようとする課題】
【０００５】
しかしながら、従来の工具落下防止用連結索具は、その構成上幾つかの問題点があった。即ち、従来の工具落下防止用連結索具では、安全索具本体が伸縮性を有するために、螺旋状に伸びた線材が使用されている。このようなフレキシブル伸縮構造の設計では、伸縮量が高められるが、絡みやすいという問題点がある。安全索具本体が絡んだ場合、使用者がその絡みを解かさなければならず、使用上の不便さがある。
【０００６】
本考案は上記の点に鑑みてなされたものであり、絡みの発生を抑制しうる工具落下防止用連結索具を提供することを目的とする。
【課題を解決するための手段】
【０００７】
上記の課題は、第１の観点からは、
フレキシブル伸縮ロープ体と、軟質被覆体及び二つの連結部を備えてなる工具落下防止用連結索具であって、
前記軟質被覆体は、前記フレキシブル伸縮ロープ体の外周に被覆され、
前記軟質被覆体は、前記フレキシブル伸縮ロープ体の伸びや縮みに伴って皺の幅が変化する折縁部を有し、
二つの前記連結部は、前記フレキシブル伸縮ロープ体と前記軟質被覆体の両側に連結してなることを特徴とする工具落下防止用連結索具により解決することができる。
【考案の効果】
【０００８】
上記した工具落下防止用連結索具によれば、軟質被覆体にある折縁部は、フレキシブル伸縮ロープ体の伸びや縮みによって皺の幅が変化するため、安全連結索具が伸縮した時に絡みの発生を抑制することができる。
【０００９】
また、フレキシブル伸縮ロープ体から大きなフレキシブル伸縮力が生じられるため、連結してある工具が落下しても、その落下力が緩和されるため引っ張り力の強さで使用者にショックや痛みなどを与えることはない。
【００１０】
また、軟質被覆体は皺がないように平らに引っ張られるため、工具落下防止用連結索具全体の引っ張った状態を抑制する効果がある。よって、フレキシブル伸縮ロープ体の最大伸長性が抑えられ、過度に引っ張られ、断裂する心配がないので、工具の安全な連結に優れた伸縮性を与えると同時にロープ体の絡みが確実に防止でき、工具の使用性の向上を図ることができる。
【００１１】
また、工具連結部は延伸バンド、第一穿設リング、第二穿設リング、オス側マジックバンドとメス側マジックバンドを備えているため、外径の異なった工具部位に応じて引っ張り強さの変化や調整が可能となり、工具の適用域が広く多様に利用することが可能となる。
【図面の簡単な説明】
【００１２】
【図１】本考案の一実施形態である工具落下防止用連結索具の斜視図である。
【図２】本考案の一実施形態である工具落下防止用連結索具の使用者連結部４０の近傍を拡大して示すと共にフレキシブル伸縮ロープ体と軟質被覆体の一部を示す一部断面とした斜視図である。
【図３】本考案の一実施形態である工具落下防止用連結索具の平面図である。
【図４】本考案の一実施形態である工具落下防止用連結索具を構成する工具連結部の位置決めの操作の手順を説明するための図である。
【図５】本考案の一実施形態である工具落下防止用連結索具を構成するフレキシブル伸縮ロープ体と軟質被覆体が引っ張られていない状態を示す断面図である。
【図６】本考案の一実施形態である工具落下防止用連結索具を構成するフレキシブル伸縮ロープ体と軟質被覆体が引っ張られた状態を示す断面図である。
【図７】本考案の一実施形態である工具落下防止用連結索具の使用例を示す図である。
【考案を実施するための形態】
【００１３】
次に、本考案の実施の形態について図面と共に説明する。
【００１４】
図１〜図は、本考案の一実施形態である工具落下防止用連結索具を示している。これらの実施形態は考案の説明のみに用いられ、これらを以って実用新案登録請求の範囲を制限するものではない。
【００１５】
工具落下防止用連結索具Ａは、フレキシブル伸縮ロープ体１０、軟質被覆体２０、工具連結部３０、及び使用者連結部４０を備えている。軟質被覆体２０は布材で作られた円筒体であり、フレキシブル伸縮ロープ体１０の外周に被覆されている。
【００１６】
この軟質被覆体２０にある折縁部２１は蛇腹状に折り曲げられることにより複数の皺が形成されており、フレキシブル伸縮ロープ体１０の伸びや縮みによってこの皺の幅が変化するよう構成されている（図５、図６参照）。フレキシブル伸縮ロープ体１０の伸びや縮みにより軟質被覆体２０も変形するが、この変形に伴って皺の幅も変化する。
【００１７】
工具連結部３０と使用者連結部４０は、フレキシブル伸縮ロープ体１０及び軟質被覆体２０の両側に連結される。また、フレキシブル伸縮ロープ体１０の具体的な構成としては、図２に示すように、複数の単フレキシブル伸縮線体１１を束ねて構成したものでもよい。また、使用者連結部３０はフック体の形態としてもよく、この場合には素早く使用者の身に付けている作業ベルトの孔に取り付けることが可能となる。
【００１８】
図１及び図３に、工具連結部３０の具体的な構造を示す。各図に示すように工具連結部３０は、延伸バンド３１、第一穿設リング３２、第二穿設リング３３、オス側マジックバンド３４、及びメス側マジックバンド３５を有している。
【００１９】
延伸バンド３１は、リンク結合側３６と延伸側３７とを備えている。このリンク結合側３６は、第一穿設リング３２と第二穿設リング３３が連結するためのラグバンド３８を有している。オス側マジックバンド３４とメス側マジックバンド３５は、この延伸バンド３１の片側でリンク結合側３６近傍の間隔された二セクションと結合している。即ち、オス側マジックバンド３４とメス側マジックバンド３５は、延伸バンド３１の片側にあるリンク結合側３６の近傍の二箇所に離間して配設されている。
【００２０】
次に、工具連結部３０の使用・操作方法について、図４を用いて説明する。まず、延伸バンド３１の延伸側３７が折り回った状態で、この延伸バンド３１を工具５０に巻きつける。その後、延伸バンド３１を第二穿設リング３３と第一穿設リング３２に通し、その後に更に図４に破線の矢印で示すように逆方向で折り曲げ、第二穿設リング３３に通してしっかりと引っ張る。
【００２１】
そして、最後にオス側マジックバンド３４とメス側マジックバンド３５が相互に貼着し、これにより位置が決められることになる。この工具連結部３０の構成は、外径の異なった工具部位に応じて、引っ張り強さの変化や調整が可能であるため、適用域が広く多様に利用できるという長所がある。
【００２２】
次に、上記構成とされた工具落下防止用連結索具Ａの使用方法及びその作用について説明する。
【００２３】
図７（Ａ）に示すのは、工具５０に対して工具落下防止用連結索具Ａを使用した例を示している。工具落下防止用連結索具Ａを構成する工具連結部３０を、落下防止対象になる工具５０の適宜な部位（例えば取っ手など）に付けるよう連結すると共に、使用者連結部４０を使用者の適宜な部位（例えば、作業ベルト）に付けるように連結する。これにより、工具５０の工具落下防止用連結索具Ａへの装着が完了する。
【００２４】
工具５０を工具落下防止用連結索具Ａに装着した状態において、工具５０を不注意で手から落下した場合（矢印Ｌ２）、工具落下防止用連結索具Ａが工具５０と使用者とを繋いでいるため、工具５０は地面まで落下せず、ある距離まで落下したら停止する。よって、下方にいる人や物品に当たるようなことはなく、安全性を保つことができる。
【００２５】
しかも、図５、図６に示すようにフレキシブル伸縮ロープ体１０によるフレキシブル伸縮、及び軟質被覆体２０にある折縁部２１による皺の幅の変化により、工具５０の落下力は緩和されるため、引っ張り力の強さで使用者にショックや痛みなどを与えることもない。
【００２６】
上記した本実施形態に係る工具落下防止用連結索具Ａは、フレキシブル伸縮ロープ体１０、軟質被覆体２０、工具連結部３０、使用者連結部４０等を有して構成されているため、従来の工具落下防止用連結索具の構造に比べ、フレキシブル伸縮ロープ体１０から大きなフレキシブル伸縮力が生じる。よって、連結してある工具５０が落下しても、その落下力が緩和されるから、引っ張り力の強さで使用者にショックや痛みなどを与えることを防止できる。
【００２７】
また、軟質被覆体２０にある折縁部２１は、フレキシブル伸縮ロープ体１０の伸びや縮みによって皺の幅が変化するため、工具落下防止用連結索具Ａが伸縮したとき、絡むようなことはなく、その外径の大きさのみに変化が生じる。
【００２８】
また、工具落下防止用連結索具Ａが皺がないように平らに引っ張られた場合、軟質被覆体２０は工具落下防止用連結索具Ａ全体の引っ張った状態を止める効果があり、フレキシブル伸縮ロープ体１０の最大伸長性が抑えられる。これにより、フレキシブル伸縮ロープ体１０が過度に引っ張られ、断裂する心配がないので、工具５０の安全連結に優れた伸縮性を与えると同時に、フレキシブル伸縮ロープ体１０の絡みを確実に防止することができる。
【００２９】
更に、延伸バンド３１、第一穿設リング３２、第二穿設リング３３、オス側マジックバンド３４、及びメス側マジックバンド３５を備えているため、外径の異なった工具５０に対応して引っ張り強さの調整が可能である。このため、工具落下防止用連結索具Ａの適用範囲を広めることができ、多様に利用することが可能となる。
【００３０】
尚、上述の実施形態に掲示されたのは、本考案を具体的に説明するための内容であり、これを以って当該新案登録請求の範囲を制限してはならず、また本願考案に改造や変更などを行って本願考案と同等な効果を得たとしても、それらの改造や変更等は、本願考案の技術的な範疇に含まれるものである。
【符号の説明】
【００３１】
Ａ  工具落下防止用連結索具
１０  フレキシブル伸縮ロープ体
１１  単フレキシブル伸縮線体
２０  軟質被覆体
２１  折縁部
３０  工具連結部
３１  延伸バンド
３２  第一穿設リング
３３  第二穿設リング
３４  オス側マジックバンド
３５  メス側マジックバンド
３６  リンク結合側
３７  延伸側
３８  ラグバンド
４０  使用者連結部
５０  工具
【図１】
0003156504.tif 000003
【図２】
0003156504.tif 000004
【図３】
0003156504.tif 000005
【図４】
0003156504.tif 000006
【図５】
0003156504.tif 000007
【図６】
0003156504.tif 000008
【図７】
0003156504.tif 000009